(57)【要約】【課題】なるべく広い領域をなるべくムラ無く照明できるようにすることを目的とする。【解決手段】照明装置１０は、光を出射する光源３０と、光源３０に対して光が出射される側に設けられた導光部材４０とを備える。導光部材４０は、光源３０と導光部材４０とを通過するいずれかの軸Ｘを通る断面において、軸Ｘを挟む位置に存在する一対の第１線４１と、軸Ｘに対して一対の第１線４１の外側に位置する一対の第２線４２とが表れる形状に形成されている。一対の第１線４１は、光源３０側に設けられ、導光部材４０を通る光Ｌ１を、軸Ｘから広げる第１面４１ｆを示し、一対の第２線４２は、光源３０側であって軸Ｘに対して第１面４１ｆよりも遠い位置に設けられ、導光部材４０を通る光を、軸Ｘ側に寄せる第２面４２ｆを示す。【選択図】図４
2018018599.tif 000002
【特許請求の範囲】
【請求項１】
光を出射する光源と、
前記光源に対して光が出射される側に設けられた導光部材と、
を備え、
前記導光部材は、前記光源と前記導光部材とを通過するいずれかの軸を通る断面において、前記軸を挟む位置に存在する一対の第１線と、前記軸に対して前記一対の第１線の外側に位置する一対の第２線とが表れる形状に形成され、
前記一対の第１線は、前記光源側に設けられ、前記導光部材を通る光を、前記軸から広げる第１面を示し、前記一対の第２線は、前記光源側であって前記軸に対して前記第１面よりも遠い位置に設けられ、前記導光部材を通る光を、前記軸側に寄せる第２面を示す、照明装置。
【請求項２】
請求項１記載の照明装置であって、
前記一対の第１線は、前記光源から遠ざかるのに従って、前記軸に徐々に近づくように延在する直線である、照明装置。
【請求項３】
請求項１又は請求項２記載の照明装置であって、
前記一対の第２線は、前記軸に対して直交する直線である、照明装置。
【請求項４】
請求項１から請求項３のいずれか１項に記載の照明装置であって、
前記導光部材は、前記光源とは反対側で前記軸に対して直交する出射側面を有する、照明装置。
【請求項５】
請求項１記載の照明装置であって、
前記一対の第１線は、前記光源から遠ざかるのに従って、前記軸に徐々に近づくように延在する直線であり、前記一対の第２線は、前記軸に対して前記一対の第１線よりも直角に近い角度をなすように延在する直線であり、
前記導光部材は、前記光源とは反対側に出射側面を有し、
前記導光部材は、前記第１面のうち前記軸に近い部分を通過する光が前記出射側面を透過し、前記第１面のうち前記軸から遠い部分を通過する光が前記出射側面で反射され、前記第２面を通過する光が前記出射側面を透過する形状に形成されている、照明装置。
【請求項６】
光を出射する光源と、
前記光源に対して光が出射される側に設けられた導光部材と、
を備え、
前記導光部材は、前記光源と前記導光部材とを通過するいずれかの軸を基準として、前記軸側の部分を通る光と前記軸から遠い側の部分を通る光を透過させると共に、それらの間の部分を通る光を前記光源側に反射させる形状に形成されている、照明装置。
【請求項７】
請求項６記載の照明装置であって、
前記導光部材は、前記軸を通る断面において、前記軸を挟む位置に存在する一対の第１線と、前記軸に対して前記一対の第１線の外側に位置する一対の第２線とが表れる形状に形成され、
前記一対の第１線は、前記光源から遠ざかるのに従って、前記軸に徐々に近づくように延在する直線であり、前記光源側に設けられた第１面を示し、前記一対の第２線は、前記軸に対して前記一対の第１線よりも直角に近い角度をなすように延在する直線であり、前記光源側であって前記軸に対して前記第１面よりも遠い位置に設けられた第２面を示し、
前記導光部材は、前記光源とは反対側に出射側面を有し、前記第１面のうち前記軸に近い部分を通過する光が前記出射側面を透過し、前記第１面のうち前記軸から遠い部分を通過する光が前記出射側面で反射され、前記第２面を通過する光が前記出射側面を透過する形状に形成されている、照明装置。
【請求項８】
請求項５又は請求項７に記載の照明装置であって、
前記導光部材は、前記軸を通る断面において、前記軸に対して前記一対の第２線の外側に位置する一対の第３線が表れる形状に形成され、
前記一対の第３線は、前記光源側に設けられた第３面を示し、
前記一対の第３線は、前記光源から遠ざかるのに従って、前記軸から徐々に離れるように延在する直線である、照明装置。
【請求項９】
請求項１から請求項８のいずれか１項に記載の照明装置であって、
前記導光部材は、前記軸上において厚みを有する形状に形成されている、照明装置。
【請求項１０】
請求項１から請求項９のいずれか１項に記載の照明装置であって、
前記導光部材に対して前記光源とは反対側にレンズ拡散板が設けられている、照明装置。
【請求項１１】
請求項１から請求項１０のいずれか１項に記載の照明装置であって、
前記光源は、直線状の光源であり、
前記導光部材は、前記軸に直交すると共に前記光源の延在方向に沿う姿勢で、前記軸を挟むように配設された一対の柱状導光部を含む、照明装置。
【請求項１２】
請求項１から請求項１１のいずれか１項に記載の照明装置と、
前記光源に対して前記導光部材を天井に向けた姿勢で前記照明装置を支持する支持部と、
を備える天井用照明装置。
【発明の詳細な説明】
【技術分野】
【０００１】
この発明は、照明装置に関する。
【背景技術】
【０００２】
特許文献１は、光源と、光源を収容する器具本体と、前記器具本体の出射面を覆い、この出射面から出射される光を拡散させるカバーとを備えた照明装置を開示している。カバーは、乳白アクリル等の拡散透光性を有する合成樹脂材料で形成されており、カバーの内外表面は細かく凹凸加工されている。光源から放射された光は、カバーで拡散され、器具本体の傾斜側面及び器具設置面に達する。
【先行技術文献】
【特許文献】
【０００３】
【特許文献１】特開２０１４−００３０３４号公報
【発明の概要】
【発明が解決しようとする課題】
【０００４】
特許文献１に開示の技術は、光源の光を、乳白アクリル等の拡散性を有するカバーによって周囲に発散させて、広い範囲の照明対象領域を照明しようとするものである。しかしながら、乳白アクリル等の拡散性を有するカバーに依存して照明対象領域を広げるだけでは、その正面中心が最も明るくなり、その周辺領域は徐々に暗くなるという問題がある。乳白アクリル等の拡散性を有するカバー等によって、光を四方八方に均等に光を出射させても、その正面中心から離れた周辺領域では、光源からの距離が遠くなる上、光が斜めに入射するからである。
【０００５】
また、特許文献１の照明装置では、ＬＥＤからの光は、カバーの凸部で拡散してＬＥＤの前面とは反対側の器具設置面に達する。しかしながら、凸部は、カバーの外側に設けられているため、当該凸部で反射して器具設置面を照らしても、十分な明るさを得ることは困難である。
【０００６】
そこで、本発明の第１の課題は、なるべく広い領域をなるべくムラ無く照明できるようにすることにある。第２の課題は、光源の反対側をなるべく明るく照明できるようにすることにある。
【課題を解決するための手段】
【０００７】
上記第１の課題を解決するため、第１の態様に係る照明装置は、光を出射する光源と、前記光源に対して光が出射される側に設けられた導光部材と、を備え、前記導光部材は、前記光源と前記導光部材とを通過するいずれかの軸を通る断面において、前記軸を挟む位置に存在する一対の第１線と、前記軸に対して前記一対の第１線の外側に位置する一対の第２線とが表れる形状に形成され、前記一対の第１線は、前記光源側に設けられ、前記導光部材を通る光を、前記軸から広げる第１面を示し、前記一対の第２線は、前記光源側であって前記軸に対して前記第１面よりも遠い位置に設けられ、前記導光部材を通る光を、前記軸側に寄せる第２面を示すものとされている。
【０００８】
第２の態様は、第１の態様に係る照明装置であって、前記一対の第１線は、前記光源から遠ざかるのに従って、前記軸に徐々に近づくように延在する直線とされている。
【０００９】
第３の態様は、第１又は第２の態様に係る照明装置であって、前記一対の第２線は、前記軸に対して直交する直線とされている。
【００１０】
第４の態様は、第１から第３のいずれか１つの態様に係る照明装置であって、前記導光部材は、前記光源とは反対側で前記軸に対して直交する出射側面を有する。
【００１１】
また、第２の課題をも解決するため、第５の態様は、第１の態様に係る照明装置であって、前記一対の第１線は、前記光源から遠ざかるのに従って、前記軸に徐々に近づくように延在する直線であり、前記一対の第２線は、前記軸に対して前記一対の第１線よりも直角に近い角度をなすように延在する直線であり、前記導光部材は、前記光源とは反対側に出射側面を有し、前記導光部材は、前記第１面のうち前記軸に近い部分を通過する光が前記出射側面を透過し、前記第１面のうち前記軸から遠い部分を通過する光が前記出射側面で反射され、前記第２面を通過する光が前記出射側面を透過する形状に形成されているものである。
【００１２】
また、第２の課題を解決するため、第６の態様に係る照明装置は、光を出射する光源と、前記光源に対して光が出射される側に設けられた導光部材と、を備え、前記導光部材は、前記光源と前記導光部材とを通過するいずれかの軸を基準として、前記軸側の部分を通る光と前記軸から遠い側の部分を通る光を透過させると共に、それらの間の部分を通る光を前記光源側に反射させる形状に形成されている。
【００１３】
第７の態様は、第６の態様に係る照明装置であって、前記導光部材は、前記軸を通る断面において、前記軸を挟む位置に存在する一対の第１線と、前記軸に対して前記一対の第１線の外側に位置する一対の第２線とが表れる形状に形成され、前記一対の第１線は、前記光源から遠ざかるのに従って、前記軸に徐々に近づくように延在する直線であり、前記光源側に設けられた第１面を示し、前記一対の第２線は、前記軸に対して前記一対の第１線よりも直角に近い角度をなすように延在する直線であり、前記光源側であって前記軸に対して前記第１面よりも遠い位置に設けられた第２面を示し、前記導光部材は、前記光源とは反対側に出射側面を有し、前記第１面のうち前記軸に近い部分を通過する光が前記出射側面を透過し、前記第１面のうち前記軸から遠い部分を通過する光が前記出射側面で反射され、前記第２面を通過する光が前記出射側面を透過する形状に形成されているものである。
【００１４】
第８の態様は、第５又は第７の態様に係る照明装置であって、前記導光部材は、前記軸を通る断面において、前記軸に対して前記一対の第２線の外側に位置する一対の第３線が表れる形状に形成され、前記一対の第３線は、前記光源側に設けられた第３面を示し、前記一対の第３線は、前記光源から遠ざかるのに従って、前記軸から徐々に離れるように延在する直線とされている。
【００１５】
第９の態様は、第１から第８のいずれか１つの態様に係る照明装置であって、前記導光部材は、前記軸上において厚みを有する形状に形成されているものである。
【００１６】
第１０の態様は、第１から第９のいずれか１つの態様に係る照明装置であって、前記導光部材に対して前記光源とは反対側にレンズ拡散板が設けられているものである。
【００１７】
第１１の態様は、第１から第１０のいずれか１つの態様に係る照明装置であって、前記光源は、直線状の光源であり、前記導光部材は、前記軸に直交すると共に前記光源の延在方向に沿う姿勢で、前記軸を挟むように配設された一対の柱状導光部を含む。
【００１８】
第１２の態様に係る天井用照明装置は、第１から第１１のいずれか１つの態様に係る照明装置と、前記光源に対して前記導光部材を天井に向けた姿勢で前記照明装置を支持する支持部とを備える。
【発明の効果】
【００１９】
第１の態様によると、軸を挟む位置に存在する一対の第１線によって示される第１面は、前記軸に近い部分を通る光を、前記軸から広げる。軸に対して一対の第１線の外側に位置する一対の第２線によって示される第２面は、軸から遠い部分を通る光を軸側に寄せる。このため、軸近くを通る光がその周辺に広げられると共に、軸の外側に大きく広がろうとする光が軸側に寄せられる。結果、軸からある程度離れた周囲部分をも明るく照らすことができ、なるべく広い領域をなるべくムラ無く照明でき、第１の課題を解決できる。
【００２０】
第２の態様によると、一対の第１線は、前記光源から遠ざかるのに従って、前記軸に徐々に近づくように延在する直線であるため、一対の第１線を通る第１面から導光部材内に入射する光は、軸から離れる側に屈折して、軸から広げられる。これにより、軸近くを通る光がその周辺に広げられ、なるべく広い領域をなるべくムラ無く照明できる。
【００２１】
第３の態様によると、一対の第２線は、軸に対して直交する直線であるため、一対の第２線を通る第２面から導光部材内に入射する光は、軸に近づく側に屈折して、軸側に寄せられる。これにより、軸の外側に大きく広がろうとする光が軸側に寄せられ、軸周りのなるべく広い領域をなるべくムラ無く照明できる。
【００２２】
第４の態様によると、導光部材は、光源とは反対側で軸に対して直交する出射側面を有する形状であるため、比較的単純な形状で、なるべく広い領域をなるべくムラ無く照明できる。
【００２３】
第５の態様によると、一対の第１線は、前記光源から遠ざかるのに従って、前記軸に徐々に近づくように延在する直線であるため、一対の第１線を通る第１面から導光部材内に入射する光は、軸から離れる側に屈折して、軸から広げられる。また、一対の第２線は、軸に対して一対の第１線よりも直角に近い角度をなすように延在する直線であり、一対の第２線を通る第２面から導光部材内に入射する光は、軸に近づく側に屈折して、軸側に寄せられる。これにより、なるべく広い領域をなるべくムラ無く照明できる。また、第１面のうち軸から遠い部分を通過する光が軸に対してなす角度は大きく、当該光が第１面で屈折されつつ導光部材内に進入すると、その光の進行方向が軸に対してなす角度はより大きくなる。このため、当該光は、出射側面で反射され易くなり、当該光によって光源の反対側をなるべく明るく照明でき、第２の課題を解決できる。
【００２４】
第６の態様によると、導光部材は、軸側の部分を通る光と軸から遠い側の部分を通る光を透過させると共に、それらの間の部分を通る光を光源側に反射させるため、光源の反対側をなるべく明るく照明でき、第２の課題を解決できる。
【００２５】
第７の態様によると、第１面のうち軸に近い部分を通過する光は出射側面を透過し、第２面を通過する光は出射側面を透過し、これにより、照明装置の正面を照明することができる。また、第１面のうち軸から遠い部分を通過する光が軸に対してなす角度は大きく、また、当該光が第１面で屈折されつつ導光部材内に進入すると、その光の進行方向が軸に対してなす角度はより大きくなる。このため、当該光は、出射側面で反射され易くなり、当該光によって光源の反対側をなるべく明るく照明できる。
【００２６】
第８の態様によると、導光部材で内部反射された光が第３面に達した場合、当該第３面に対する光の入射角を小さくできる。このため、第３面に達した光を外部に出射させ易くなり、光源の反対側をなるべく明るく照明できる。
【００２７】
第９の態様によると、導光部材に強度を持たせることができる。
【００２８】
第１０の態様によると、レンズ拡散板によって、配光制御しつつ、照明ムラを抑制することができる。
【００２９】
第１１の態様によると、直線状の光源からの光を、その光源の幅方向に広げてなるべくムラ無く照明できる。
【００３０】
第１２の態様によると、天井面をなるべく広い領域でなるべくムラ無く照明できる。これにより、部屋等をなるべく明るく感じさせることができる。
【図面の簡単な説明】
【００３１】
【図１】実施形態に係る照明装置を示す概略斜視図である。
【図２】図１のＩＩ−ＩＩ線における概略断面図である。
【図３】照明装置の部分概略正面図である。
【図４】光源から照射された光が導光部材を通過する際の光の挙動を示す説明図である。
【図５】光源から照射された光が導光部材を通過する際の光の挙動と導光部材を通過しない場合の光の挙動との関係を示す説明図である。
【図６】光源の正面側に導光部材を配設した場合の配光特性の一例を示す図である。
【図７】同上の場合において照明対象面を照らした場合の照明例を示す図である。
【図８】光源の配光特性の一例を示す図である。
【図９】同上の場合において照明対象面を照らした場合の照明例を示す図である。
【図１０】レンズ拡散板における光の挙動を示す図である。
【図１１】天井用照明装置として適用した例を示す概略斜視図である。
【図１２】天井用照明装置として適用した他の例を示す概略斜視図である。
【図１３】変形例に係る照明装置を示す概略斜視図である。
【図１４】図１３のＸＩＶ−ＸＩＶ線断面図である。
【発明を実施するための形態】
【００３２】
以下、実施形態に係る照明装置について説明する。
【００３３】
＜照明装置の構成＞
照明装置１０の全体構成について説明する。図１は照明装置１０を示す概略斜視図であり、図２は図１のＩＩ−ＩＩ線における概略断面図であり、図３は照明装置１０の部分概略正面図である。なお、照明装置１０の正面とは、当該照明装置１０が最も明るく照明する側をいい、ここでは、光源３０が主として光を照射する側である。また、図３では、主たる光学的要素（光源３０、導光部材４０、レンズ拡散板５０）が図示され、ケース２０等は省略されている。
【００３４】
照明装置１０は、光源３０と、導光部材４０とを備えている。光源３０及び導光部材４０は、ケース２０内に収容されて、一定の位置関係で支持されている。
【００３５】
ケース２０は、ケース本体２２と、正面カバー２８と、一対の側方カバー２９とを備える。
【００３６】
ケース本体２２は、樹脂等で形成された長尺部材に形成されている。ケース本体２２は、その延在方向に対して直交する一方向である正面側に開口すると共に、その正面側の開口の両側部で開口する形状に形成されている。
【００３７】
より具体的には、ケース本体２２は、光源収容部２３と、導光部材収容部２４とを備える。
【００３８】
光源収容部２３は、細長いケース状に形成されており、その延在方向に対して直交する一方向である正面側に開口している。光源収容部２３の奥側の奥側収容部２３ａは、その正面側の中間収容部２３ｂよりも幅広に形成されている。中間収容部２３ｂは、段部２３ｃを介して奥側収容部２３ａの両側に広がっている。そして、光源収容部２３内に比較的幅狭な細長い収容空間が形成され、中間収容部２３ｂ内に、光源収容部２３内の収容空間よりも幅広な細長い収容空間が形成されている。
【００３９】
導光部材収容部２４は、光源収容部２３の正面側に連設されている。導光部材収容部２４は、ケース本体２２の正面側に向けて徐々に幅広になる形状に形成されている。導光部材収容部２４の正面側（光源収容部２３の反対側）に正面側開口２４ａが形成されると共に、その正面側開口２４ａの両側に一対の側方開口２４ｂが形成されている。
【００４０】
正面カバー２８及び一対の側方カバー２９は、透明なアクリル板等により形成された透明板部材である。正面カバー２８は、上記正面側開口２４ａを塞ぐ長方形板状に形成されている。一対の側方カバー２９のそれぞれは、側方開口２４ｂを塞ぐ長方形状に形成されている。
【００４１】
そして、正面カバー２８及び一対の側方カバー２９は、嵌込構造、ネジ止構造、接着剤等によって、上記正面側開口２４ａ、一対の側方開口２４ｂを塞いだ状態で、ケース本体２２に取付けられる。
【００４２】
光源３０は、光を出射可能、より具体的には、光を放射状に出射可能に構成されている。ここでは、光源３０は、複数の光源要素３０ａによって構成されており、全体として直線状の光源３０として構成されている。より具体的には、複数の光源要素３０ａのそれぞれは、発光ダイオードであり、長方形状の基板３１に実装されている。複数の光源要素３０ａは、基板３１の幅方向中央部において、当該基板３１の延在方向に沿って直線状に並ぶように設けられている。個々の光源要素３０ａは、基板３１の反対側に放射状に光を出射する。かかる光源要素３０ａが複数直線状に並べられた直線状の光源３０を、光源要素３０ａの配列方向に沿った面で観察すると、当該光源要素３０ａが並ぶ範囲内で、光はほぼ均等な態様で出射される。直線状の光源３０を、光源要素３０ａの配列方向に対して直交する面で観察すると、光は基板３１とは反対側に放射状に出射される。このように、複数の光源要素３０ａは、全体として直線状の光源３０を構成する。ここでは、複数の光源要素３０ａは、間隔をあけて直線状に並んでいるが、密に直線状に並んでいてもよい。光源としては、発光ダイオードの他、蛍光灯、電球等が用いられてもよい。
【００４３】
光源収容部２３の奥部にベース板３２が嵌込構造、ネジ止構造、接着剤等によって取付けられ、このベース板３２上に上記基板３１が嵌込構造、ネジ止め構造、接着剤等によって取付けられている。これにより、直線状の光源３０が、ケース本体２２に対して、光源収容部２３の幅方向中央に位置して、正面側開口２４ａ側に光を出射させる姿勢で、取付けられる。
【００４４】
なお、ここでは、中間収容部２３ｂの奥側に、第１透過板３６が取付けられている。第１透過板３６は、乳白色のアクリル板等、光を拡散可能な板部材によって構成されている。この第１透過板３６は、光源３０からの光が導光部材４０によって配光制御される前の段階で、光を拡散させ、もって、光源３０の延在方向に沿った光のムラ等を抑制する役割を果す。なお、第１透過板３６は、厚みが一定である板部材である。また、光源３０からの光が第１透過板３６である拡散されるとしても、導光部材４０から見ると、光は限定された領域から放射状に広がって導光部材４０に入射すると把握することが可能である。このため、後述する導光部材４０における光の挙動を説明する際に、本第１透過板３６による影響は無視することとする。もっとも、本第１透過板３６は省略されてもよい。
【００４５】
中間収容部２３ｂの両側部にスペーサ３７が取付けられており、中間収容部２３ｂの正面側に、スペーサ３７によって支持された状態で、第２透過板３８が取付けられている。スペーサ３７、第２透過板３８は、アクリル板等の透明材料によって構成されており、ケース本体２２の奥側から、導光部材４０を支える役割を果す。なお、第２透過板３８は、厚みが一定である板部材である。また、第２透過板３８が導光部材４０を支えるといっても、第２透過板３８と導光部材４０との間には微小な隙間（空気層）が介在している。このため、後述する導光部材４０における光の挙動を説明する際に、本第２透過板３８による影響は無視することとする。もっとも、スペーサ３７及び第２透過板３８は省略されてもよい。この場合、導光部材４０の縁部分等をケース本体等で支持するようにすればよい。
【００４６】
なお、第１透過板３６、スペーサ３７、第２透過板３８は、嵌込構造、ネジ止構造、接着剤等によって取付けることができる。
【００４７】
導光部材４０は、透明アクリル樹脂等によって形成された部材であり、光源３０に対して光が出射される側に設けられた部材である。導光部材４０は、空気の屈折率よりも大きい屈折率を有している。ここでは、導光部材４０は、直線状の光源３０の延在方向に沿って延びる長尺部材である。この導光部材４０の横断面形状（その延在方向に対して直交する断面形状）は、その延在方向においていずれの位置でも同じ形状を示す。
【００４８】
この導光部材４０を、光源３０と導光部材４０とを通過するいずれかの軸Ｘを通る断面において観察するとする（図２参照）。ここでは、直線状の光源３０の延在方向の中間位置において、直線状の光源３０の延在方向に対して直交し、当該光源３０の正面側（光源３０が光を出射する中心となる側）に延びる軸Ｘを考える。この軸Ｘは、導光部材４０の幅方向中心を通過する。このため、当該軸Ｘを通る断面は、導光部材４０の延在方向に対して直交する面でもある。この断面を観察すると、光源３０側には、軸Ｘを挟む位置に存在する一対の第１線４１と、軸Ｘに対して一対の第１線４１の外側に位置する一対の第２線４２と、軸Ｘに対して一対の第２線４２の外側に位置する一対の第３線４３とが表れる。また、当該断面を観察すると、光源３０の反対側には、第４線４４が表れる。
【００４９】
上記一対の第１線４１は、導光部材４０のうち光源３０側に設けられた一対の第１面４１ｆを示し、一対の第２線４２は、導光部材４０のうち光源３０側に設けられた一対の第２面４２ｆを示し、一対の第３線４３は、導光部材４０のうち光源３０側に設けられた一対の第３面４３ｆを示している。
【００５０】
一対の第１面４１ｆは、導光部材４０を通る光を、軸Ｘから広げる面であり、一対の第２面４２ｆは、導光部材４０を通る光を、軸Ｘ側に寄せる面である。一対の第３面４３ｆは、導光部材４０で内部反射した光を、光源３０側に向けて出射させる面である。
【００５１】
上記一対の第１線４１は、光源３０から遠ざかるのに従って、軸Ｘに徐々に近づくように延在する直線である。ここでは、一対の第１線４１は、軸Ｘで交わっているが、必ずしもその必要は無く、それらの間に、他の傾きの線等が介在していてもよく、また、それらの間に隙間が存在していてもよい。
【００５２】
また、ここでは、一対の第１線４１が示す一対の第１面４１ｆのそれぞれは、長方形状の平面であり、一対の第１面４１ｆは、光源３０から遠ざかるのに従って、軸Ｘに徐々に近づき、軸Ｘで交わる。
【００５３】
上記一対の第２線４２は、軸Ｘに対して直交する直線である。ここでは、一対の第２線４２は、軸Ｘに対して一対の第１線４１の外側端部から軸Ｘの外方向に向う直線であるが、必ずしもその必要は無く、第１線４１と第２線４２との間に他の傾きの線等が介在していてもよい。
【００５４】
また、ここでは、一対の第２線４２が示す一対の第２面４２ｆのそれぞれは、長方形状の平面であり、一対の第２面４２ｆは、一対の第１面４１ｆの外側位置で、軸Ｘに対して直交する姿勢で延在する。
【００５５】
一対の第３線４３は、光源３０から遠ざかるのに従って、軸Ｘから徐々に離れるように延在する直線である。ここでは、一対の第３線４３は、軸Ｘに対して一対の第２線４２の外側端部から軸Ｘの外方向に向う直線であるが、必ずしもその必要は無く、第２線４２と第３線４３との間に他の傾きの線等が介在していてもよい。
【００５６】
また、ここでは、一対の第３線４３が示す一対の第３面４３ｆのそれぞれは、長方形状の平面であり、一対の第３面４３ｆは、一対の第２面４２ｆの外側位置で、光源３０から遠ざかるのに従って、軸Ｘから徐々に遠ざかるように傾斜している。
【００５７】
第４線４４は、光源３０の反対側で、軸Ｘに対して直交する直線である。ここでは、第４線４４は、一対の第３線４３の外側端部同士を結ぶ直線であるが、必ずしもその必要は無く、第３線４３と第４線４４との間に他の傾きの線等が介在していてもよい。
【００５８】
また、ここでは、第４線４４は、光源３０とは反対側で軸Ｘに対して直交する出射側面４４ｆを示している。ここでは、出射側面４４ｆは、長方形状の平面であり、一対の第３面４３ｆの外側の辺間を結ぶように、軸Ｘに対して直交する姿勢で延在する。
【００５９】
以下では、導光部材４０の断面を参照して説明する場合でも、立体的な構成を想定して、第１面４１ｆ、第２面４２ｆ、第３面４３ｆ、出射側面４４ｆとして説明する場合がある。
【００６０】
この導光部材４０では、一対の第１線４１は、光源３０から遠ざかるのに従って、軸Ｘに徐々に近づくように延在する直線であるため、光源３０側から見ると、軸Ｘで凹む形状となる。そこで、導光部材４０を、軸Ｘ上において厚みを有する形状としている。ここでは、軸Ｘに対する第１線４１及び第３線４３の傾きの大きさは同じであるが、第１線４１を第３線４３よりも小さくすることで、一対の第１線４１が第４線４４よりも光源３０側で交わるようにし、もって、軸Ｘにおいて厚みのある形状となるようにしている。
【００６１】
上記のような導光部材４０は、一対の柱状導光部材４６の組合せによって形成することができる。柱状導光部材４６は、等脚台形（長方形、平行四辺形である場合を除く）の２つの鋭角の一方を切除した形状を断面形状とする多角柱形状に形成されている。そして、一対の柱状導光部材４６が、一方の鋭角を切除したような形状を示す面４６ｆ同士突合わせるように並列配置され、それらの突き合せ面同士が接着剤等で接合することで、導光部材４０が構成される。一対の柱状導光部材４６は、接着剤等で接合されず、ケース２０内に収容されることで、それらの並列配置状態が保たれてもよい。
【００６２】
この場合、柱状導光部材４６の断面において、短い方の上底（上面）が第２線４２（第２面４２ｆ）となり、長い方の下底（下面）が第４線４４（出射側面４４ｆ）となり、一対の脚のうち切除されたような形状を示す部分側のものが第１線４１（第１面４１ｆ）となり、他方のものが第３線４３（第３面４３ｆ）となる。
【００６３】
上記のような柱状導光部材４６は、例えば、透明アクリル樹脂等、所定厚みの透明板材を切断加工等することで容易に形成することができる。しかも、一対の柱状導光部材４６の面４６ｆ同士を接着等することで、一対の柱状導光部材４６が並列状態で比較的強固に合体した導光部材４０を容易に得ることもできる。
【００６４】
もっとも、導光部材４０は、一体的に金型成形された部材として形成されてもよい。
【００６５】
上記導光部材４０は、第２面４２ｆを第２透過板３８に接触させた状態で、ケース本体２２の導光部材収容部２４内に収容される。この状態で、光源３０は、軸Ｘ上であって、第２面４２ｆから離れた位置に配設され、光源３０からの光が一対の第１面４１ｆ及び一対の第２面４２ｆに入射する。軸Ｘは、一対の第１面４１ｆの間を通る。
【００６６】
また、この照明装置１０は、導光部材４０に対して光源３０とは反対側に設けられたレンズ拡散板５０を備える。
【００６７】
レンズ拡散板５０は、その表面に形成された多数のレンズ要素によって、光を拡散させるものであり、内部に混入された微小粒子の作用又は表面の細かい粗面によって光を拡散反射させるものとは異なっている。
【００６８】
ここでは、レンズ拡散板５０のうち導光部材４０側に、複数の断面弧状の凹溝５１が互いに隣接して並列形成されている。各凹溝５１は、光源３０の延在方向に沿って形成されている。また、レンズ拡散板５０のうち導光部材４０とは反対側の面は平面に形成されている。そして、導光部材４０を通った光が各凹溝５１を通過する際、主として凹溝５１の周囲に範囲内で拡散される。この際、光の拡散範囲は、凹溝５１の形状によってある程度制御される。このため、側方等への光の無駄な反射を抑制しつつ、照明対象におけるムラを抑制できる。
【００６９】
上記レンズ拡散板５０は、凹溝５１を導光部材４０側に向けた状態で、導光部材４０の出射側面４４ｆ上に配設される。そして、正面カバー２８がケース本体２２に取付けられることで、導光部材４０及びレンズ拡散板５０が導光部材収容部２４内に収容保持される。
【００７０】
なお、レンズ拡散板５０は省略されてもよい。
【００７１】
＜光の挙動＞
上記照明装置１０における光の挙動について説明する。図４は光源３０から照射された光が導光部材４０を通過する際の光の挙動を示す説明図であり、図５は光源３０から照射された光が導光部材４０を通過する際の光の挙動と同光が導光部材４０を通過しない場合の光の挙動との関係を示す説明図である。
【００７２】
上記したように、導光部材４０は、透明アクリル樹脂等によって形成され空気の屈折率よりも大きい屈折率を有している。このため、光源３０から照射される光のうち軸Ｘに比較的近い光Ｌ１（第１面４１ｆに入射する光のうち軸Ｘに近い部分に入射する光、光Ｌ１は軸Ｘに対して第１角度θ１未満の角度であると捉えることもできる）は、第１面４１ｆに入射すると、当該第１面４１ｆの法線に近づくように屈折され、軸Ｘに対して広げられる。そして、光Ｌ１が出射側面４４ｆを通過する際、出射側面４４ｆの法線から離れる側に屈折され、軸Ｘに対してさらに広げられる。このため、光源３０から照射される光のうち軸Ｘに比較的近い光Ｌ１は、導光部材４０を通過すると、軸Ｘから離れるように広げられ、軸Ｘから離れた周辺領域を照らす光となる。これに対して、光源３０から照射される光のうち軸Ｘに比較的近い光Ｌ１が、導光部材４０を通過せず、そのまま直線的に進むと、軸Ｘに近い領域を照らす（図５の光Ｌ１ａ参照）。勿論、光源３０から照射される光のうち、軸Ｘに近い光は、軸Ｘの直近領域を照らす。
【００７３】
また、光源３０から照射される光のうち軸Ｘから比較的遠い光Ｌ３（第２面４２ｆに入射する光、光Ｌ３は軸Ｘに対して第２角度θ２（θ２≧θ１）を越える角度であると捉えることもできる）は、第２面４２ｆに入射すると、当該第２面４２ｆの法線に近づくように屈折され、軸Ｘ側に寄せられる。そして、光Ｌ３が出射側面４４ｆを通過する際、出射側面４４ｆの法線から離れる側に屈折され、軸Ｘに対して広げられる。出射側面４４ｆから出射した光Ｌ３が軸Ｘに対してなす角度は、第２面４２ｆに出射する前の光Ｌ３が軸Ｘに対してなす角度と同じであるが、当該光Ｌ３が第２面４２ｆから出射側面４４ｆを通る区間では、軸Ｘ側に寄せられている。これに対して、光源３０から照射される光のうち軸Ｘに比較的近い光Ｌ３が、導光部材４０を通過せず、そのまま直線的に進むと、軸Ｘから遠い領域を照らす（図５の光Ｌ３ａ参照）。
【００７４】
光Ｌ３の一部（第２面４２ｆのうち軸Ｘから遠い部分に入射する光）が、第３面４３ｆで内部反射され、出射側面４４ｆに達してもよい。
【００７５】
また、光源３０から照射される光のうち光Ｌ１と光Ｌ３との間の部分を通る光Ｌ２（第１面４１ｆに入射する光のうち軸Ｘから遠い部分に入射する光、光Ｌ３は軸Ｘに対してθ１を越え、θ２未満の角度であると捉えることもできる）は、第１面４１ｆに入射すると、当該第１面４１ｆの法線に近づくように屈折され、軸Ｘに対して広げられる。この光Ｌ２は、軸Ｘに対して大きく傾き、出射側面４４ｆに対する入射角度も大きくなる。このため、光Ｌ２が出射側面４４ｆに入射すると、当該光Ｌ２は、出射側面４４ｆで反射され、第３面４３ｆに向けて進行する。第３面４３ｆは、光源３０から遠ざかるのに従って、軸Ｘから徐々に離れるように延在する直線であるため、第３面４３ｆに対する光Ｌ２の出射角度は、比較的小さい。このため、光Ｌ２は、第３面４３ｆを通って外部に出射され、導光部材４０に対して光源３０側に進む。これに対して、光Ｌ２が、導光部材４０を通過せず、そのまま直線的に進むと、軸Ｘから中程度離れた領域を照らす（図５の光Ｌ２ａ参照）。
【００７６】
図６は光源３０の正面側に導光部材４０を配設した場合の配光特性の一例を示す図であり、図７は光源３０の正面側に離れ、かつ、軸Ｘに対して直交する照明対象面を照らした場合の照明例を示す図である。図６は、光源３０を中心とし、その背面側の位置を０度とする極座標系における配光曲線を示している。
【００７７】
図６に示すように、光源３０の正面側では、左右斜め方向に向う角度で光度が大きくなる特性を示す。このため、光源３０から導光部材４０を通過して光によって照明対象面を照らすと、図７に示すように、軸Ｘの両側に広がる広い領域でなるべくムラ無くなるべく明るく照し出すことができる。
【００７８】
また、光源から照射された光は、導光部材４０で光源３０側に反射されるため、背面側でも、左右斜め方向に向う角度で光度が大きくなる特性を示す。このため、光源３０の導光部材４０側で照明対象面を照らした場合でも、その斜め後方領域を照明することができる。
【００７９】
図８は光源３０の配光特性の一例を示す図であり、図９は光源３０の正面側に離れ、かつ、軸Ｘに対して直交する照明対象面を照らした場合の照明例を示す図である。つまり、図８及び図９は、図６及び図７にそれぞれにおいて、導光部材４０を省略した場合を示している。
【００８０】
図８に示すように、光源３０は、光源３０の前方側で円状に広がるランバーシャン配光特性を示す。このため、光源３０は、照明対象面のうち軸Ｘに沿った比較的狭い領域を明るく照らすのみである。
【００８１】
上記第２面４２ｆに対する第１面４１ｆ、第３面４３ｆの傾斜角度、軸Ｘに沿った方向における光源３０と第２面４２ｆとの距離、上記第２面４２ｆと出射側面４４ｆとの距離寸法（導光部材４０の厚み寸法）等は、導光部材４０の屈折率等に応じて、使用が想定される状況（本照明装置１０と照明対象箇所との距離、照明対象範囲等）を考慮して適宜設定される。
【００８２】
例えば、導光部材４０の屈折率が１．４９である場合において、上記軸Ｘに対する第１面４１ｆ、第３面４３ｆの傾斜角度を４５度（この場合、第２面４２ｆに対する傾斜角度も４５度）、軸Ｘに沿った方向における光源３０と第２面４２ｆとの距離を２２．５ｍｍ、第２面４２ｆと出射側面４４ｆとの距離寸法（導光部材４０の厚み寸法）を２５ｍｍ、一対の柱状導光部材４６の切除寸法（軸Ｘ及び柱状導光部材４６の延在方向に対して直交する方向における寸法）を５．５ｍｍ（一対の柱状導光部材４６の断面が台形であると想定したときの同方向の重なり寸法は１１ｍｍ）とすることが考えられる。
【００８３】
第２面４２ｆに対する第１面４１ｆ、第３面４３ｆの傾斜角度を大きくするほど、光源３０を導光部材４０に近づけて、光が導光部材４０によって拡散される範囲を広げることができる。また、軸Ｘに沿った方向における光源３０と第２面４２ｆとの距離を小さくするほど、光源３０を導光部材４０に近づけて、光が本導光部材４０によって拡散される範囲を広げることができる。これらを加味して、上記各値等は適宜調整される。
【００８４】
また、本実施形態では、導光部材４０に対して光源３０とは反対側にレンズ拡散板５０が設けられている。図１０はレンズ拡散板５０における光の挙動を示す図である。
【００８５】
同図に示すように、光源３０の延在方向に対して直交し、軸Ｘを通る断面では、凹溝５１は、凹曲面を描く。また、レンズ拡散板５０のうち導光部材４０とは反対側の面は平面である。このため、光Ｌは、平凹レンズを凹側から通るとの同様の挙動を示す。つまり、光Ｌがレンズ拡散板５０の凹溝５１の表面に進入すると、その進入箇所の表面の法線に近づく角度となるように屈折される。このため、凹溝５１の表面に侵入した光Ｌは、拡散される。そして、光Ｌがレンズ拡散板５０のうち導光部材４０の反対側の面に進入すると、当該面の法線に近くなるように屈折しつつ外部に出射される。この拡散の範囲は、凹溝５１が描く曲面の形状によって調整される。このため、透明部材の内部に混入された微小粒子の作用又は粗面によって光を拡散反射させるものとは異なり、その拡散範囲をある程度制御することができる。
【００８６】
＜効果等＞
以上のように構成された照明装置１０によると、軸Ｘを挟む位置に存在する一対の第１線４１によって示される第１面４１ｆは、軸Ｘに近い部分を通る光Ｌ１を、軸Ｘから広げる。また、軸Ｘに対して一対の第１線４１の外側に位置する第２線４２によって示される第２面４２ｆは、軸Ｘから遠い部分を通る光Ｌ３を軸Ｘ側に寄せる。このため、軸Ｘ自覚を通る光が軸Ｘの周囲に広げられると共に、軸Ｘの外側に大きく広がろうとする光Ｌ３が軸Ｘ側に寄せられる。結果、軸Ｘの直近だけでなく、軸Ｘから中程度に離れた周囲部分をも明るく照らすことができ、なるべく広い領域をなるべくムラ無く照明できる。
【００８７】
具体的には、第１面４１ｆを示す第１線４１が、光源３０から遠ざかるのに従って、軸に徐々に近づくように延在する直線であれば、第１面４１ｆから導光部材４０内に入射する光Ｌ１は、軸Ｘから離れる側に屈折して、軸Ｘから広げられる。これにより、軸Ｘを通る光Ｌ１がその周辺に広げられ、なるべく広い領域をなるべくムラ無く照明できる。
【００８８】
また、具体的には、一対の第２面４２ｆを示す第２線４２が、軸に対して直交する直線であれば、第２面４２ｆから導光部材４０内に入射する光Ｌ３は、軸Ｘ側に近づく側に屈折して、軸Ｘ側に寄せられる。これにより、軸Ｘの外側に大きく広がろうとする光Ｌ３が軸Ｘ側に寄せられ、軸Ｘ周りの広い領域をなるべくムラ無く照明できる。
【００８９】
導光部材４０のうち光源３０とは反対側の出射側面４４ｆが、軸Ｘに対して直交する平面であれば、比較的単純な形状で、なるべく広い領域をなるべくムラ無く照明できるようにすることを実現できる。
【００９０】
なお、出射側面４４ｆを示す第４線４４、一対の第１線４１及び一対の第２線４２が直線状であることは必須ではない。光Ｌ１、Ｌ３を上記のように屈折できる範囲で、第４線４４、一対の第１線及び一対の第２線の少なくとも１つが曲線を描き、従って、出射側面４４ｆ、第１面及び第２面の少なくとも１つが上記断面で観察したときに曲面を描いていてもよい。
【００９１】
また、導光部材４０は、軸Ｘにおいて厚みを有する形状に形成されているため、断面において台形状部分が突合う箇所で強度を持たせることができる。また、導光部材４０を一対の柱状導光部材４６の組合せによって製造する場合に、一対の柱状導光部材４６を接合し易い。
【００９２】
また、導光部材４０に対して光源３０とは反対側にレンズ拡散板５０が設けられているため、当該レンズ拡散板５０によって、配光制御を行いつつ、照明ムラを抑制することができる。
【００９３】
また、導光部材４０は、一対の柱状導光部材４６の組合せによって構成されており、直線状の光源３０からの光を、当該一対の柱状導光部材４６によって拡散させる構成であるため、直線状の光源３０からの光を、その光源３０の幅方向に広げてなるべくムラ無く照明できる。
【００９４】
また、本実施形態では、第１面４１ｆのうち軸Ｘから遠い部分を通過する光Ｌ２が軸Ｘに対してなす角度は比較的おおきく、この光Ｌ２が第１面４１ｆで屈折されつつ導光部材４０内に進入すると、その光Ｌ２が軸Ｘに対してなす角度はより大きくなる。このため、当該光Ｌ２は、出射側面４４ｆで反射され、導光部材４０から光源３０側に出射される。この際、照明装置１０の周囲４方に発散する光を抑制して、光源３０の正面側とその反対側を照明できる。このため、当該光Ｌ２によって、光源３０の正面とは反対側をもなるべく明るく照明できる。
【００９５】
この点からすると、本実施形態は、以下の発明をも開示している。すなわち、光源３０と、光源３０に対して光が出射される側に設けられた導光部材４０とを備え、導光部材４０は、上記軸Ｘを基準として、軸Ｘ側の部分を通る光Ｌ１と軸Ｘから遠い側の部分を通る光Ｌ３を透過させると共に、それらの間の部分を通る光Ｌ２を光源３０側に反射させる形状に形成された、照明装置１０である。
【００９６】
この観点からすると、一対の第１線４１は、光源３０から遠ざかるのに従って軸Ｘに徐々に近づく直線であり、一対の第２線４２は、軸Ｘに対して一対の第１線４１よりも直角に近い角度をなすように延在する直線であり、導光部材４０は、光源３０とは反対側に出射側面４４ｆを有しており、第１面４１ｆのうち軸Ｘに近い部分を通過する光Ｌ１が出射側面４４ｆを透過し、第１面４１ｆのうち軸Ｘから遠い部分を通過する光Ｌ２が出射側面４４ｆで反射され、第２線４２を通過する光Ｌ３が出射側面４４ｆを透過するような形状に形成されていればよい。
【００９７】
この際、導光部材４０は、軸Ｘを通る上記断面において、軸Ｘに対して一対の第２線４２の外側に位置する第３線４３が表れる形状に形成され、一対の第３線４３が光源３０側に設けられた第３面４３ｆを示し、一対の第３線４３は、光源３０から遠ざかるのに従って、軸Ｘから徐々に離れるように延在する直線であれば、導光部材４０の出射側面４４ｆで内部反射された光Ｌ２が第３面４３ｆに達した場合、当該第３面４３ｆに対する光Ｌ２の入射角を小さくできる。このため、第３面４３ｆに達した光Ｌ２を外部に出射させ易くなり、光源３０の反対側をなるべく明るく照明できる。
【００９８】
なお、第３面４３ｆが上記構成であることは必須ではなく、軸Ｘに沿った平面であってもよいし、その他の曲面形状等であってもよい。
【００９９】
なお、照明装置１０において、光Ｌ２が光源３０に対して導光部材４０の反対側に出射されることは必須ではなく、照明装置１０は、光源３０の正面側のみを照らすものであってもよい。
【０１００】
＜適用例＞
図１１は、照明装置１０を天井用照明装置１１０として適用した例を示す概略斜視図である。
【０１０１】
この天井用照明装置１１０は、部屋１５０内に設置されるものであり、照明装置１０と、支持部１２０とを備える。
【０１０２】
支持部１２０は、部屋のパーティションとしても用いられる部分であり、仕切部１２２と、仕切部１２２を立設状態に支持する柱部１２４とを備える。
【０１０３】
仕切部１２２は、金属板、樹脂板、木板等によって構成されるパネル状の部分であり、部屋１５０の床面１５２上に立設状態で支持される。仕切部１２２の高さ寸法は、部屋１５０の床面１５２と天井面１５４との間の距離（部屋の高さ）よりも小さく設定される。
【０１０４】
柱部１２４は、柱本体部１２５と、脚部１２６とを備えている。柱本体部１２５は、仕切部１２２の一側部に取付けられており、仕切部１２２の高さ寸法と同じ高さ寸法に設定されている。脚部１２６は、仕切部１２２の両面側に突出するように設けられている。そして、仕切部１２２が床面１５２上に配設された状態で、仕切部１２２の一側部に設けられた柱部１２４の脚部が仕切部１２２の両面側に延出して、床面１５２上に載置される。これにより、仕切部１２２が部屋１５０を仕切った立設状態で支持される。
【０１０５】
上記支持部１２０は、照明装置１０を、光源３０に対して導光部材４０を天井側に向けた姿勢で支持する。より具体的には、照明装置１０は、支持部１２０の上部である仕切部１２２及び柱部１２４の上部にネジ止、嵌込構造等で固定されている。照明装置１０は、上側を向いており、光源３０の正面側に放射された光Ｌ１，Ｌ３が天井面１５４を照らす。また、光源３０の背面側に反射された光Ｌ２が床面１５２側を照明する。照明装置１０の支持高さは、好ましくは、平均的な人Ｐの身長を超える大きさに設定される。
【０１０６】
図１２は、照明装置１０を他の形態に係る天井用照明装置２１０として適用した例を示す概略斜視図である。
【０１０７】
この天井用照明装置２１０は、部屋１５０内に設置されるものであり、照明装置１０と、支持部２２０とを備える。
【０１０８】
支持部２２０は、柱本体部２２２と、脚部２２４とを備え、照明装置１０を、光源３０に対して導光部材４０を天井側に向けた姿勢で、支持する。柱本体部２２２は、柱状に形成されており、その高さ寸法は、部屋の床面と天井面との間の距離（部屋の高さ）よりも小さく設定される。脚部２２４は、柱本体部２２２の下部から外方に突出するように設けられている。そして、脚部２２４が床面上に載置された状態で、柱本体部２２２が床面１５２の上方に立設状態で支持される。
【０１０９】
照明装置１０は、柱本体部２２２の上部に支持されている。ここでは、照明装置１０の一端部が柱本体部２２２の上部に片持ち状に支持されている。照明装置１０は、上側を向いており、光源３０の正面側に放射された光Ｌ１，Ｌ３が天井面を照らす。また、光源３０の背面側に反射された光Ｌ２が床面側を照明する。
【０１１０】
天井用照明装置１１０、２１０は、天井面１５４を明るく照らすことで、人が感じる明るさ感を高めようとするものである。かかる天井用照明装置１１０、２１０の照明装置１０が人の目よりも下方にあると、眩しく感じてしまうため、照明装置１０は、通常、目よりも上、特に、頭上に設置される。すると、照明装置１０と天井面１５４との距離が小さくなり、光が広がり難くなり、天井面１５４の照明領域が限定されてしまう。
【０１１１】
本照明装置１０は、照明対象面が近〜中距離でも比較的広い領域を明るく照らすことができる。このため、本照明装置１０と天井用照明装置１１０、２１０として適用することで、天井面１５４をなるべく広い領域でなるべくムラ無く照明できる。これにより、部屋１５０等をなるべく明るく感じさせることができる。
【０１１２】
照明装置１０は、机等から天井面を照らす照明装置１０として用いられてもよい。
【０１１３】
勿論、上記照明装置１０は、天井用照明装置として適用されるだけではなく、天井に設置され、床面側を照らす照明装置としても、机に設置され、机の天板上の作業エリア等を照らす照明として用いることもできる。
【０１１４】
＜変形例＞
上記実施形態では、直線状の光源３０及び長尺状の導光部材４０を用いた例を説明したが、必ずしもその必要は無い。
【０１１５】
図１３は変形例に係る照明装置３１０を示す概略斜視図であり、図１４は図１３のＸＩＶ−ＸＩＶ線断面図である。
【０１１６】
図１３に示す例では、点光源又は点光源に類似する光源３３０の照射方向側に導光部材３４０が設けられている。光源３３０及び導光部材３４０は、ケース３５０内に収容されて、一定の位置関係で保持されている。
【０１１７】
導光部材３４０は、アクリル樹脂等の透明部材により形成されている。導光部材３４０は、円錐の頂部を切除した円錐台形状において、上面の中央から底面側に向う円錐状の凹みを形成した形状に形成されている。
【０１１８】
この変形例において、光源３０及び導光部材３４０の中心を通る軸Ｘを考え、導光部材３４０を、軸Ｘを通る断面で観察すると、導光部材３４０の凹みを形成する内周側の環状周面３４１は上記実施形態における一対の第１線４１に対応し、導光部材３４０の上側の面３４２は一対の第２線４２に対応し、導光部材３４０の外周側の環状周面３４３は一対の第３線４３に対応し、導光部材３４０の底面３４４（出射側面）は第４線４４に対応する線として表れる。
【０１１９】
このため、上記実施形態と同様に、光源３０から放射状に照射される光を、軸Ｘ周りに程度広がるに照射させることができ、なるべく広い領域をなるべくムラ無く照明できる。
【０１２０】
なお、上記実施形態及び各変形例で説明した各構成は、相互に矛盾しない限り適宜組合わせることができる。例えば、図１３に示す変形例において、導光部材３４０に対して光源３０とは反対側にレンズ拡散板が設けられてもよい。
【０１２１】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１２２】
１０、３１０    照明装置
３０、３３０    光源
４０、３４０    導光部材
４１    第１線
４１ｆ    第１面
４２    第２線
４２ｆ    第２面
４３    第３線
４３ｆ    第３面
４４    第４線
４４ｆ    出射側面
４６    柱状導光部材
５０    レンズ拡散板
５１    凹溝
１１０、２１０    天井用照明装置
１２０、２２０    支持部
３４１    環状周面
３４２    面
３４３    環状周面
３４４    底面
Ｘ    軸
【図１】
2018018599.tif 000003
【図２】
2018018599.tif 000004
【図３】
2018018599.tif 000005
【図４】
2018018599.tif 000006
【図５】
2018018599.tif 000007
【図６】
2018018599.tif 000008
【図７】
2018018599.tif 000009
【図８】
2018018599.tif 000010
【図９】
2018018599.tif 000011
【図１０】
2018018599.tif 000012
【図１１】
2018018599.tif 000013
【図１２】
2018018599.tif 000014
【図１３】
2018018599.tif 000015
【図１４】
2018018599.tif 000016